(57)【特許請求の範囲】
【請求項１】
第１のシャーシに組付けられ、光ディスクを搭載して回転するターンテーブルと、
第２のシャーシに組付けられ、前記光ディスクの情報記録トラックに光ビームを照射する光ピックアップと、
前記光ビームが適正な角度で前記情報記録トラックに照射されるように前記光ビームの光軸を制御するサーボ機構と、
前記第１のシャーシと前記第２のシャーシとがなす角度を調節することにより、前記ターンテーブルと前記光ピックアップとがなす角度を調節し、前記光ディスクの主面と前記光軸とが適正な角度となるように手動にて調節する角度調節機構とを備え、
前記角度調節機構は、前記第１のシャーシおよび前記第２のシャーシの間隔を維持する非一直線上に配置された３つの間隔維持部と、前記第１のシャーシと前記第２のシャーシとを近接する方向に弾性付勢する板バネとによって構成され、
前記間隔維持部のうちの１つは、前記第１のシャーシおよび前記第２のシャーシのうちのいずれか一方のシャーシに設けられた開口に螺合する回転部材と、前記開口が設けられたシャーシとは異なる他方のシャーシに設けられたスラント面とを含み、
前記スラント面は、前記回転部材に設けられた突起部に当接しており、前記突起部が前記スラント面を昇降することによって前記間隔が調節される、光ディスクドライブ装置。
【請求項２】
前記回転部材は、ねじ頭を有している、請求項１に記載の光ディスクドライブ装置。
【発明の詳細な説明】
【０００１】
【発明の属する技術分野】
本発明は、光情報記録媒体である光ディスクに対して情報の記録／再生を行なう光ディスクドライブ装置に関し、特に、ＤＶＤやＭＤ（Ｍｉｎｉ  Ｄｉｓｃ）などの高密度光情報記録媒体の記録／再生を行なう光ディスクドライブ装置に関する。
【０００２】
【従来の技術】
一般に、光ディスクドライブ装置は、光情報記録媒体である光ディスクの情報記録トラックに、光ビームを微小なスポットとして集光・走査することによって情報の記録および消去を行なう。また、情報の再生にあたっては、主面に照射された光ビームの反射光を読み取って情報の再生を行なう。このような光ディスクの情報記録トラックに対する光ビームの照射には、光ピックアップが用いられる。
【０００３】
光ディスクドライブ装置が情報の記録等を行なう際には、高速回転する光ディスクに面振れ、偏心、および回転振動が生じる場合がある。したがって、光ディスクに対して確実な記録、消去および再生を行なうためには、正確に光ビームのスポットを所定の情報記録トラックに照射する必要がある。すなわち、光ピックアップから照射される光ビームの光軸が、光ディスクの主面に対して適切な直角度を保つように制御する必要がある。
【０００４】
このため、光ディスクドライブ装置は、光ディスクの面振れ等を検知し、この検知情報をもとに光ピックアップの対物レンズを微小に移動させることによって光ビームの照射角度を調節するサーボ機構を備えている。しかしながら、このサーボ機構によって補整可能な範囲には限界があるため、この限界以上の面振れ等が生じた場合にはサーボ機構による調節では対応しきれない。
【０００５】
そこで、サーボ機構によって調節可能な限界以上の変動が生じた場合に、別途設けられた角度調節機構によって光軸とディスクの主面との直角度が保たれるように調節することが考えられる。この角度調節機構は、光ディスクを保持するターンテーブルに対する光ピックアップの角度を調節することにより、光軸とディスクの主面との直角度を調節するものである。
【０００６】
なお、本来的にはこの角度調節機構は、光ディスクドライブ装置の製造時における部品精度ばらつきや組付精度ばらつきを補整するための機構であり、製品出荷後に光軸と光ディスクの主面との直角度を調節するためのものではない。しかしながら、ＤＶＤなどのように大量の情報を蓄積するための光情報記録媒体においては、その情報記録トラックの幅が極小化しており、光軸と光ディスクの主面との直角度が非常に厳密に求められる。したがって、ＤＶＤドライブ装置などにあってはこの角度調節機構を駆動モータを用いて駆動させることにより、ＤＶＤドライブ装置の使用時においても光軸と光ディスクの主面との直角度の調節が行なわれている。
【０００７】
以下、この角度調節機構を備えた従来のＤＶＤドライブ装置について、図を参照して説明する。図１０は、従来のＤＶＤドライブ装置の下側シャーシの形状を説明するための上面図、正面図、および側面図である。下側シャーシ１１０は中央に開口１１２を備えた枠形状の板状体１１１からなり、プレス加工によってその一部が折り返されることによって、ＤＶＤドライブ装置の筐体（図示せず）に固定される組付部１１３が四隅に形成されている。板状体１１１には、種々の構成部品を組付けるための穴が所定位置に複数個設けられている。
【０００８】
図１１は、従来のＤＶＤドライブ装置の上側シャーシの形状を説明するための上面図、正面図、および側面図である。上側シャーシ１２０は中央に開口１２２を備えた枠形状の板状体１２１からなる。上側シャーシ１２０の下面の所定位置には、アウトサート成形により突起部１２４，１２５および１２６が設けられている。上側シャーシ１２０の板状体１２１には種々の構成部品を組付けるための穴が所定位置に複数個設けられている。なお、この上側シャーシ１２０は、その下面が上述の下側シャーシ１１０の上面に所定の間隔をもって対向するように組付けられる。
【０００９】
次に、図１２に所定の部品が組付けられた状態での下側シャーシの上面図を示す。図に示すように、下側シャーシ１１０の所定位置には、ＤＶＤを保持するためのターンテーブル１３０が組付けられる。このターンテーブル１３０は、クランパ（図示せず）とによって光ディスクを挟持し、スピンドルモータ（図示せず）によって回転駆動されることにより、ＤＶＤを高速回転させる装置である。
【００１０】
一方、上側シャーシ１２０の突起部１２６に対向する下側シャーシ１１０の位置には、上述の角度調節機構１５０の間隔維持部の１つが組付けられる。この角度調節機構１５０の一部である間隔維持部は、スラント面１５１ａを備えた回転体１５１と、この回転体１５１を回転駆動する駆動モータ１５３と、回転体１５１のスラント面１５１ａに当接する突起部１２６とから構成される。このうち、下側シャーシ１１０には、回転体１５１と駆動モータ１５３とが組付けられている。なお、駆動モータ１５３の回転軸１５３ａと回転体１５１との間には、回転伝達手段として中継ギヤ１５２が配置されている。
【００１１】
次に、図１３に所定の部品が組付けられた状態での上側シャーシの上面図を示す。図に示すように、上側シャーシ１２０の中央に設けられた開口１２２を跨ぐように２本のガイドレール１４２が平行に取付けられる。この２本のガイドレール１４２には、光ピックアップ１４０の両端が取付けられる。これにより、光ピックアップ１４０は、ガイドレール１４２上をＤＶＤの半径方向に移動することが可能となる。なお、光ピックアップ１４０の所定位置には、光ビームを照射するための対物レンズ１４１が取付けられている。
【００１２】
上述の所定部品が組付けられた上下２枚のシャーシ１１０，１２０が、所定の間隔をもって対向するように組付けられた状態のサブアセンブリの上面図を図１４に示す。この上側シャーシ１２０と下側シャーシ１１０の組付けにあたっては板バネ１６４，１６５および１６６が用いられ、２枚のシャーシ１１０および１２０が互いに接近するように押圧付勢されて組付けられる。板バネ１６４，１６５および１６６は、下側シャーシ１１０にねじ止めされ、上側シャーシ１２０を弾性付勢する。
【００１３】
本構成において角度調節機構１５０は、図中一点鎖線で囲んだ１５０Ａ，１５０Ｂ，１５０Ｃの３つの間隔維持部から構成されている。このうち間隔維持部１５０Ａにおいては、上側シャーシ１２０に設けられた突起部１２４が、下側シャーシ１１０に組付けられた当接部材（図示せず）に当接しており、さらにこの近傍に板バネ１６４が取付けられることで、突起部１２４と当接部材の当接が維持されている。
【００１４】
間隔維持部１５０Ｂにおいては、上側シャーシ１２０に設けられた突起部１２５が、下側シャーシ１１０に組付けられた当接部材（図示せず）に当接しており、さらにこの近傍に板バネ１６５が取付けられることで、突起部１２５と当接部材の当接が維持されている。なお、この間隔維持部１５０Ｂにおいては、下側シャーシ１１０に組付けられた当接部材がシャーシ面と垂直な方向に上下可動式となっており、これにより上下シャーシ１１０および１２０の間隔を調節することが可能になっている。
【００１５】
間隔維持部１５０Ｃにおいては、上述のように下側シャーシ１１０に取付けられた回転体１５１のスラント面１５１ａに上側シャーシ１２０に設けられた突起部１２６が当接しており、さらにこの近傍に板バネ１６６が取付けられることで、突起部１２６と回転体１５１の当接が維持されている。なお、駆動モータ１５３によって回転体１５１が回転することにより、上下シャーシ１１０および１２０の間隔を調節することが可能になっている。
【００１６】
以上のように、非同一直線上に配置された３つの間隔維持部１５０Ａ，１５０Ｂ，１５０Ｃにて上下シャーシ１１０および１２０が当接し、板バネ１６４，１６５，１６６によって上下シャーシ１１０および１２０が弾性付勢されており、このうちの間隔維持部１５０Ｂおよび１５０Ｃにおいて上下シャーシ１１０および１２０の間隔を調節することにより、上下シャーシ１１０および１２０がなす角度が自在に調節される。
【００１７】
以上の構成により、サーボ機構が補整可能な範囲を超えたＤＶＤの面触れ等が生じた場合にも、角度調節機構によってターンテーブルと光ピックアップとがなす角度を調節することにより、読み取りエラーなどの誤動作の防止が図られる。具体的には、間隔維持部１５０Ｃにおいて駆動モータの回転が中継ギアを介して回転体に伝達され、回転体が回転した分だけスラント面を突起部が昇降することにより、上下シャーシの角度が調節される。これにより、下側シャーシに取付けられたターンテーブルと上側シャーシに取付けられた光ピックアップとの角度が制御され、光ビームの光軸とＤＶＤの主面とが適正な直角度となるように修正が行なわれる。
【００１８】
【発明が解決しようとする課題】
しかしながら、最近のＤＶＤドライブ装置ではサーボ機構の改良が進み、またソフト面の改良も著しく進んでいるため、特に角度調節機構を用いなくとも読み取りエラーなどの誤作動が生じ難くなってきている。
【００１９】
したがって、本発明は、読み取りエラーなどの誤動作の発生を防止しつつ、より簡便な方法にて光ビームの光軸と光ディスクの主面とが適正な直角度を成すように調節可能な角度調節機構を備えた光ディスクドライブ装置を提供することを目的とする。
【００２０】
【課題を解決するための手段】
【００２５】
本発明に基づく光ディスクドライブ装置は、第１のシャーシに組付けられ、光ディスクを搭載して回転するターンテーブルと、第２のシャーシに組付けられ、光ディスクの情報記録トラックに光ビームを照射する光ピックアップと、光ビームが適正な角度で情報記録トラックに照射されるように光ビームの光軸を制御するサーボ機構と、第１のシャーシと第２のシャーシとがなす角度を調節することにより、ターンテーブルと光ピックアップとがなす角度を調節し、光ディスクの主面と光軸とが適正な角度となるように手動にて調節する角度調節機構とを備える。角度調節機構は、第１のシャーシおよび第２のシャーシの間隔を維持する非一直線上に配置された３つの間隔維持部と、第１のシャーシと第２のシャーシとを近接する方向に弾性付勢する板バネとによって構成される。間隔維持部のうちの１つは、第１のシャーシおよび第２のシャーシのうちのいずれか一方のシャーシに設けられた開口に螺合する回転部材と、この開口が設けられたシャーシとは異なる他方のシャーシに設けられたスラント面とを含む。スラント面は、回転部材に設けられた突起部に当接しており、突起部がスラント面を昇降することによって上記間隔が調節される。
【００２６】
このように、角度調節機構を光ディスクドライブ装置の製造時においてのみ用いられ、手動にて調節が可能な角度調節機構とすることにより、部品点数を削減することが可能になり、大幅にコストダウンが図れる。さらには、駆動モータやこの駆動モータの回転を伝達するギヤ等からなる回転伝達手段も不要となるため、光ディスクドライブ装置の設計自由度が増し、また装置の小型化にも寄与する。
また、このように、２枚のシャーシに別々に組付けられたターンテーブルと光ピックアップとの角度の調節を、この２枚のシャーシの角度を調節することによって行なうことにより、非常に簡便な構造で角度を調節することが可能になる。
また、このように、３つの間隔維持部のうちの少なくとも１つがスラント面と突起部とで構成され、突起部がスラント面を昇降することによって２枚のシャーシの間隔が調節されるように構成することによって、容易にターンテーブルと光ピックアップとの角度の調節が可能になる。また、３つの間隔維持部のうち、２つを間隔調節可能な間隔維持部とすることにより、空間的なすべての方向への調節が可能となる。
上記本発明に基づく光ディスクドライブ装置にあっては、回転部材がねじ頭を有していることが好ましい。
このように構成することにより、製造時において回転部材をドライバーにて容易に回転させることが可能になるため、角度調節作業が大幅に容易化する。
【００３１】
【発明の実施の形態】
以下、本発明の実施の形態について、図を参照して説明する。なお、本実施の形態にあっても、上述の従来例と同様、光ディスクドライブ装置としてＤＶＤドライブ装置を例示して説明する。また、上述の従来例と同様の部分についてはその説明を省略し、異なった部分についてのみ説明する。
【００３２】
図１は、本実施の形態におけるＤＶＤドライブ装置の下側シャーシの形状を説明するための上面図、側面図、および正面図である。図に示すように、下側シャーシ１０の周縁の所定位置には、舌片１６が設けられている。この舌片１６には、切り込みが入れられて折り曲げられることにより、スラント面１６ａが形成されている。なお、この舌片１６およびスラント面１６ａは、プレス加工により容易に形成可能である。
【００３３】
図２は、本実施の形態におけるＤＶＤドライブ装置の上側シャーシの形状を説明するための上面図、側面図、および正面図である。図に示すように、上述の従来のＤＶＤドライブ装置の上側シャーシに設けられていた突起部１２６（図１１参照）が廃止され、代わりに下側シャーシ１０の舌片１６に対応する位置に回転部材２６が上側シャーシ２０に設けられた開口に螺合している。なお、本実施の形態における他の２つの突起部２４および２５は、上述の従来例と同一のものである。
【００３４】
次に、図３に所定の部品が組付けられた状態での下側シャーシの上面図を示す。図に示すように、従来例と同様に本実施の形態においても、ＤＶＤを保持するためのターンテーブル３０が、下側シャーシ１０の所定位置に組付けられる。しかしながら、従来例では組付けられていた角度調節機構の回転体、駆動モータ、中継ギアは、本実施の形態では不要である。
【００３５】
また、図４に所定の部品が組付けられた状態での上側シャーシの上面図を示す。図に示すように、従来例と同様に本実施の形態においても上側シャーシ２０の開口２２を跨ぐようにガイドレール４２が平行に２本組付けられ、これらガイドレール４２に光ピックアップ４０の両端が取付けられる。これにより、光ピックアップ４０がＤＶＤの半径方向に移動可能となる。
【００３６】
上述の所定部品が組付けられた上下２枚のシャーシ１０，２０が、所定の間隔をもって対向するように組付けられた状態のサブアセンブリの上面図を図５に示す。この上側シャーシ２０と下側シャーシ１０の組付けにあたっては板バネ６４，６５，６６が用いられ、２枚のシャーシ１０および２０が互いに接近するように押圧付勢されて組付けられる。板バネ６４，６５，６６は、下側シャーシ１０に固定され、上側シャーシ２０を弾性付勢する。
【００３７】
本実施の形態において角度調節機構５０は、図中点線で囲んだ部分に位置する間隔維持部５０Ａ，５０Ｂ，５０Ｃの３つから構成されている。図６は、間隔維持部５０Ａの構造を説明するための図であり、図５中のＶＩ−ＶＩにおける断面を示している。図に示すように間隔維持部５０Ａにおいては、上側シャーシ２０に設けられた突起部２４が、下側シャーシ１０に組付けられた当接部材１４の当接面１４ａに当接しており、さらにこの近傍に板バネ６４が取付けられることで、突起部２４と当接部材１４の当接が維持されている。
【００３８】
図７は、間隔維持部５０Ｂの構造を説明するための図であり、図５中のＶＩＩ−ＶＩＩにおける断面を示している。図に示すように、間隔維持部５０Ｂにおいては、上側シャーシ２０に設けられた突起部２５が下側シャーシ１０に組付けられた当接部材１５の当接面１５ａに当接しており、さらにこの近傍に板バネ６５が取付けられることで、突起部２５と当接部材１５の当接が維持されている。なお、この間隔維持部５０Ｂにおいては、下側シャーシ１０に組付けられた当接部材１５が、ねじ１５ｂによってシャーシ面と垂直な方向に上下可動式となっており、これにより上下シャーシ１０および２０の間隔を調節することが可能になっている。
【００３９】
図８は、間隔維持部５０Ｃの構造を説明するための図であり、図５中のＶＩＩＩ−ＶＩＩＩにおける断面を示している。図に示すように、間隔維持部５０Ｃにおいては、下側シャーシ１０の舌片１６に設けられたスラント面１６ａに上側シャーシ２０の開口に螺合された回転部材２６の突起部２６ａが当接しており、さらにこの近傍に板バネ６６が取付けられることで、突起部２６ａとスラント面１６ａの当接が維持されている。この回転部材２６の上面には、ねじ頭が形成されており、ドライバーによって容易に回転させることが可能である。回転部材２６が回転することにより、突起部２６ａがスラント面１６ａを昇降することにより、上下シャーシ１０および２０の間隔が調節される。
【００４０】
以上のように、非同一直線上に配置された３つの間隔維持部５０Ａ，５０Ｂ，５０Ｃにて上下シャーシ１０および２０が当接し、板バネ６４，６５および６６によって弾性付勢されており、このうちの間隔維持部５０Ｂ，５０Ｃにおいて上下シャーシ１０および２０の間隔を調節することによって、図９に示すような上下シャーシ１０および２０がなす角度の調節が自在にかつ簡便に行なわれる。
【００４１】
上記実施の形態における角度調節手段は、あくまで一例を示したに過ぎず、上側シャーシと下側シャーシとの角度を調節する機構であればどのようなものでも適用可能である。しかしながら、製造時において手動にて調節可能な角度調節手段にすることに意味があるので、あまり複雑な構造は好ましくない。
【００４２】
また、上記実施の形態においては、手動にて上下２枚のシャーシが成す角度を調節する角度調節機構として、ねじ式のものを例示して説明したが、特にこれに制限されるものではなく、様々な形式のものが考えられる。
【００４３】
また、上記実施の形態においては、光ディスクドライブ装置としてＤＶＤドライブ装置を例示して説明したが、特にこれに限定されるものではなく、本発明は、ＣＤ−ＲＯＭ（Ｃｏｍｐａｃｔ  Ｄｉｓｃ−Ｒｅａｄ  Ｏｎｌｙ  Ｍｅｍｏｒｙ）、ＣＤ−ＲＷ（Ｃｏｎｍａｃｔ  Ｄｉｓｃ−Ｒｅｗｒｉｔａｂｌｅ）、ＭＤ、ＤＶＤ−ＲＯＭ（Ｄｉｇｉｔａｌ  Ｖｅｒｓａｔｉｌｅ  Ｄｉｓｃ−Ｒｅａｄ  Ｏｎｌｙ  Ｍｅｍｏｒｙ）などのドライブ装置に適用が可能である。
【００４４】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【００４５】
【発明の効果】
本発明により、角度調節機構を駆動させるために用いていた駆動モータを廃止することが可能になるため、部品点数を削減することが可能になり、製造コストの削減が図られる。また、駆動モータを設置するためのスペースが必要なくなるので設計の自由度も増す。また、角度調節手段を手動にて調節が可能な構成とすることにより、より簡便な方法にて光ビームの光軸と光ディスクの主面とが適正な直角度を成すように調節することが可能な角度調節機構が実現される。
【図面の簡単な説明】
【図１】本発明の実施の形態における光ディスクドライブ装置の下側シャーシの形状を説明するための上面図、側面図および正面図である。
【図２】本発明の実施の形態における光ディスクドライブ装置の上側シャーシの形状を説明するための上面図、側面図および正面図である。
【図３】本発明の実施の形態における光ディスクドライブ装置の下側シャーシに主要部品が組付けられた状態を示す上面図である。
【図４】本発明の実施の形態における光ディスクドライブ装置の上側シャーシに主要部品が組付けられた状態を示す上面図である。
【図５】本発明の実施の形態における光ディスクドライブ装置の上下２枚のシャーシを組付けた状態を示す上面図である。
【図６】図５中のＶＩ−ＶＩにおける断面図である。
【図７】図５中のＶＩＩ−ＶＩＩにおける断面図である。
【図８】図５中のＶＩＩＩ−ＶＩＩＩにおける断面図である。
【図９】本発明の実施の形態における光ディスクドライブ装置の下側シャーシと上側シャーシのなす相対的な角度が調節される様子を示した模式側面図である。
【図１０】従来の光ディスクドライブ装置の下側シャーシの形状を説明するための上面図、側面図および正面図である。
【図１１】従来の光ディスクドライブ装置の上側シャーシの形状を説明するための上面図、側面図および正面図である。
【図１２】従来の光ディスクドライブ装置において、下側シャーシに主要部品が組付けられた状態を示す上面図である。
【図１３】従来の光ディスクドライブ装置において、上側シャーシに主要部品が組付けられた状態を示す上面図である。
【図１４】従来の光ディスクドライブ装置において、上下２枚のシャーシを組付けた状態を示す上面図である。
【符号の説明】
１０  下側シャーシ、１１  板状体、１２  開口、１３  組付部、１４，１５当接部材、１６  舌片、１４ａ，１５ａ  当接面、１５ｂ  ねじ、１６ａ  スラント面、２０  上側シャーシ、２１  板状体、２２  開口、２４，２５  突起部、２６  回転部材、２６ａ  突起部、２６ｂ  ねじ頭、３０  ターンテーブル、４０  光ピックアップ、４１  対物レンズ、４２  ガイドレール、４３  （ガイドレールの）組付部材、６４〜６６  板バネ。
【図１】
0003614138.tif 000002
【図２】
0003614138.tif 000003
【図３】
0003614138.tif 000004
【図４】
0003614138.tif 000005
【図５】
0003614138.tif 000006
【図６】
0003614138.tif 000007
【図７】
0003614138.tif 000008
【図８】
0003614138.tif 000009
【図９】
0003614138.tif 000010
【図１０】
0003614138.tif 000011
【図１１】
0003614138.tif 000012
【図１２】
0003614138.tif 000013
【図１３】
0003614138.tif 000014
【図１４】
0003614138.tif 000015